(57)【要約】      （修正有）【課題】組立ねじホールがなく、従来椅子の組立て上の問題を解決でき、便利で、容易にフレキシブル素材を座り部支持フレームに組立て可能な固定構造及びそれを含む椅子を提供する。【解決手段】位置決め部材２０及び連結部材２６を含む固定構造２であって、位置決め部材２０は硬質素材３０を貫通できるように設けられ、中空筒体２０４、中空筒体と接続されるストッパー２０２を備え、中空筒体２０４には外側ねじ山部２０４２及び内側ねじ溝部２０４４が設けられており、連結部材２６は、中空スリーブ２６４と、中空スリーブ２６４と接続される操作部２６２とを有し、中空スリーブ２６４には、位置決め部材２０の外側ねじ山部２０４２と螺着されるねじ溝部２６４２が設けられており、連結部材２６は、フレキシブル素材４、硬質素材３０をそれぞれ貫通し、かつ位置決め部材２０と螺着されることにより、フレキシブル素材４を硬質素材３０に固定させる。【選択図】図３
0003195629.tif 000002
【実用新案登録請求の範囲】
【請求項１】
位置決め部材と、連結部材とを含む固定構造であって、
前記位置決め部材は、硬質素材に貫設されるように設けられ、中空筒体と、前記中空筒体と接続されるストッパーとを備えてなり、前記中空筒体には外側ねじ山部及び内側ねじ溝部が設けられており、
前記連結部材は、中空スリーブと、前記中空スリーブと接続された操作部とを備えてなり、前記中空スリーブには前記位置決め部材の前記中空筒体の前記外側ねじ山部と螺着される内側ねじ溝部が設けられており、
前記連結部材は、フレキシブル素材及び前記硬質素材をそれぞれ貫通して、前記位置決め部材と螺着され結合されることにより、前記フレキシブル素材を前記硬質素材に固定させることを特徴とする固定構造。
【請求項２】
前記固定構造は、別構成部品を前記硬質素材に固定するための結合部材をさらに備えることを特徴とする請求項１に記載の固定構造。
【請求項３】
前記結合部材は、ねじ山部と、操作ヘッド部とを含むねじであり、前記ねじ山部が前記別構成部品及び前記連結部材の前記中空スリーブとをそれぞれ貫通し、前記位置決め部材の前記中空筒体の前記内側ねじ溝部と螺着されることにより、前記別構成部品を前記硬質素材に固定させることを特徴とする請求項２に記載の固定構造。
【請求項４】
前記硬質素材には、その内径が前記中空筒体の外径よりも大きく、且つ、前記ストッパーの外形寸法よりも小さい第一スルーホールが設けられていることを特徴とする請求項１乃至請求項３のいずれか一項に記載の固定構造。
【請求項５】
前記フレキシブル素材には、その内径が前記中空ホールチューブの外径より大きく、且つ前記操作部の外径より小さい第三スルーホールが設けられることを特徴とする請求項１乃至請求項４のいずれか一項に記載の固定構造。
【請求項６】
前記中空スリーブの前記ねじ溝部の長さは、前記位置決め部材の前記中空筒体の前記外側ねじ山部の長さと同じかそれよりも短いことを特徴とする請求項１乃至請求項５のいずれか一項に記載の固定構造。
【請求項７】
前記硬質素材は座り部支持フレーム、机支持フレーム又はベッド支持フレームであることを特徴とする請求項１乃至請求項６のいずれか一項に記載の固定構造。
【請求項８】
前記フレキシブル素材はメッシュ織物、布又は皮革素材であることを特徴とする請求項１乃至請求項７のいずれか一項に記載の固定構造。
【請求項９】
前記別構成部品は、鉄板、回転盤、脚支持部材又は肘当て部材であることを特徴とする請求項２、請求項３、請求項２を引用する請求項４乃至請求項８のいずれか一項に記載の固定構造。
【請求項１０】
第一スルーホールを有する座り部支持フレームと、前記座り部支持フレームの前記第一スルーホールに挿入できる位置決め部材と、連結部材と、結合部材とを備える椅子であって、
前記位置決め部材は、中空筒体と、前記中空筒体と接続されるストッパーとを備え、前記中空筒体には外側ねじ山部と内側ねじ溝部が設けられており、
前記連結部材は、中空スリーブと、前記中空スリーブと接続された操作部とを備えてなり、前記中空スリーブの内側には前記位置決め部材の前記中空筒体の前記外側ねじ山部に螺着するねじ溝部が設けられており、前記連結部材は、フレキシブル素材、前記座り部支持フレームの前記第一スルーホールをそれぞれ貫通して、前記位置決め部材と螺着されることにより、前記フレキシブル素材を前記座り部支持フレームに固定させ、
前記結合部材は、別構成部品を前記座り部支持フレームに固定するためのものであることを特徴とする椅子。
【請求項１１】
前記結合部材は、ねじ山部と、操作ヘッド部とを含むねじであり、前記ねじ山部が前記別構成部品及び前記連結部材の前記中空スリーブとをそれぞれ貫通し、前記位置決め部材の前記中空筒体の前記内側ねじ溝部と螺着されることにより、前記別構成部品を前記座り部支持フレームに固定させることを特徴とする請求項１０に記載の椅子。
【請求項１２】
前記座り部支持フレームの前記第一スルーホールの内径は、前記中空筒体の外径より大きく、且つ、前記ストッパーの外形寸法より小さいことを特徴とする請求項１０又は請求項１１に記載の椅子。
【請求項１３】
前記中空スリーブの前記ねじ溝部の長さは、前記位置決め部材の前記中空筒体の前記外側ねじ山部の長さと同じかそれよりも短いことを特徴とする請求項１０乃至請求項１２のいずれか一項に記載の椅子。
【請求項１４】
前記フレキシブル素材には、その内径が前記中空スリーブの外径より大きく、且つ、前記操作部の外形寸法より小さい第三スルーホールが設けられていることを特徴とする請求項１０乃至請求項１３のいずれか一項に記載の椅子。
【請求項１５】
前記フレキシブル素材はメッシュ織物、布素材又は皮革素材であることを特徴とする請求項１０乃至請求項１４のいずれか一項に記載の椅子。
【請求項１６】
前記別構成部品は、鉄板、回転盤、脚支持部材、又は肘当て部材であることを特徴とする請求項１０乃至請求項１５のいずれか一項に記載の椅子。
【考案の詳細な説明】
【技術分野】
【０００１】
本考案は、固定構造と、それを含む椅子に関するものであり、特にフレキシブル素材を硬質素材に固定させることが可能な固定構造、及びそれを含む椅子装置に関するものである。
【背景技術】
【０００２】
図１および図２に示すように、一般的に、椅子には、布または皮革などのフレキシブル素材が敷かれている。図１は、従来の椅子における座り部とフレキシブル素材との組立を示す図である。図２は、従来の椅子における座り部とフレキシブル素材の組み立てを示す断面図である。基本的に、椅子１は、座り部１１と、それを支持する座り部支持フレーム１０とを備えている。上記のように、座り部１１と座り部支持フレーム１０の表面は、布や皮革などのフレキシブル素材によりカバーされている。また、脚支持座部１４を座り部支持フレーム１０の底部に固定する場合、ねじ部材１６を脚支持座部１４のスルーホール１４２およびフレキシブル素材１２のホール１２２にそれぞれ貫通させ、このねじ部材１６を座り部支持フレーム１０のねじ孔１０２に螺着させることにより、脚支持座部１４を座り部支持フレーム１０に固定させることが一般的である。
【０００３】
このような従来の組立方法でフレキシブル素材と座り部支持フレームを組立てる際、先に、ねじ部材１６をフレキシブル素材１２のホール１２２に貫通させ、次に、ねじ部材１６を座り部支持フレーム１０のねじ孔１０２に締め付けなければならない。しかも、組立てを行う際に、フレキシブル素材１２のホール１２２と座り部支持フレーム１０のねじ孔１０２の位置を合わせるのが困難であるため、ねじ部材１６を複数のホールに貫通させるときに、これらのフレキシブル素材１２のホール１２２と座り部支持フレーム１０のねじ孔１０２の位置がずれることによって、作業者にとって組立作業には非常に不便なものとなる。さらに、従来の固定構造によれば、ねじ部材１６とねじ孔１０２とを固定するための螺着深さに限界があるので、組立てを行う際に、それらの螺着深さが制限されるため、同一のねじ部材１６を用いて厚さの異なるフレキシブル素材１２を座り部支持フレーム１０に確実に固定することが困難である。
【０００４】
そのため、布カバーで被覆された椅子に関して、市販されている商品においては、購入者が自分で組立て可能なように設計された製品は少ない。たとえ組立てが可能な製品であっても、購入者が組立を行う際、布カバーの固定が困難であり、また、ねじ孔を見つけにくいので、組立てに長い時間が掛かるばかりではなく、組立ての完成ができなくなることも少なくない、といった問題点を有している。さらに、厚さの異なる生地カバーを使用すると、布カバーと座り部支持フレームとを固定することができないおそれもある。
【考案の概要】
【考案が解決しようとする課題】
【０００５】
上記事情に鑑み、本考案は、従来の構造による問題点を解決するためになされたものであり、椅子を組立てる際に、椅子の組立用ねじ孔を見付けるのが容易であり、組立て時間を短縮でき、フレキシブル素材を順調に、且つ、容易に座り部支持フレームに固定することができ、厚さの異なる布カバーを使用することができる、新規な固定構造、及びそれを有する椅子を提供することを主要な目的とする。
【課題を解決するための手段】
【０００６】
上記目的を達成するために、本考案の一態様に係る固定構造は、位置決め部材と、連結部材とを含む固定構造であって、
前記位置決め部材は、硬質素材に貫設されるように設けられ、中空筒体と、前記中空筒体と接続されるストッパーとを備えてなり、前記中空筒体には外側ねじ山部及び内側ねじ溝部が設けられており、
前記連結部材は、中空スリーブと、前記中空スリーブと接続された操作部とを備えてなり、前記中空スリーブには前記位置決め部材の前記中空筒体の前記外側ねじ山部と螺着される内側ねじ溝部が設けられており、
前記連結部材は、フレキシブル素材及び前記硬質素材をそれぞれ貫通して、前記位置決め部材と螺着され結合されることにより、前記フレキシブル素材を前記硬質素材に固定させることを特徴とする。
【０００７】
また、上記固定構造において、別構成部品を硬質素材に固定させる結合部材をさらに備えていてもよい。
【０００８】
本考案の一態様に係る椅子は、第一スルーホールを有する座り部支持フレームと、前記座り部支持フレームの前記第一スルーホールに挿入できる位置決め部材と、連結部材と、結合部材とを備える椅子であって、
前記位置決め部材は、中空筒体と、前記中空筒体と接続されるストッパーとを備え、前記中空筒体には外側ねじ山部と内側ねじ溝部が設けられており、
前記連結部材は、中空スリーブと、前記中空スリーブと接続された操作部とを備えてなり、前記中空スリーブの内側には前記位置決め部材の前記中空筒体の前記外側ねじ山部に螺着するねじ溝部が設けられており、前記連結部材は、フレキシブル素材、前記座り部支持フレームの前記第一スルーホールをそれぞれ貫通して、前記位置決め部材と螺着されることにより、前記フレキシブル素材を前記座り部支持フレームに固定させ、
前記結合部材は、別構成部品を前記座り部支持フレームに固定するためのものであることを特徴とする。
【０００９】
このように、本考案の一態様である固定構造を適用する場合、使用者は、便利に、且つ、速やかにフレキシブル素材を座り部支持フレームに固定することができると共に、厚さによる影響を及ぼされず、厚さの異なるフレキシブル素材を、その座り部支持フレームに固定することができる。それによって、従来より多様な選択を提供することができ、従来の固定構造に起因する様々の上記問題点を解消することができる。
【００１０】
以下に、本考案の特徴及び技術内容への理解をさらに促すため、添付図面を参照しつつ、本考案の好適な実施の形態を詳細に説明する。ただし、それらの説明する構成と図面の例示は、単に本考案を説明するための一部好適な実施形態に過ぎず、本考案の権利保護の範囲をそれらの構成のみに狭義的に制限するものではない。
【図面の簡単な説明】
【００１１】
【図１】図１は従来の椅子における座り部とフレキシブル素材との組立を示す図である。
【図２】図２は従来の椅子における座り部とフレキシブル素材との結合を示す断面図である。
【図３】図３は本考案の一実施形態に係る固定構造の構成を示す分解斜視図である。
【図４】図４は本考案の一実施形態に係る固定構造を示す断面図である。
【図５】図５は本考案の一実施形態に係る固定構造を有する椅子を示す図である。
【考案を実施するための形態】
【００１２】
先ず、本考案の固定構造について、図３及び図４を参照しつつ説明する。図３は、本考案の一実施形態に係る固定構造を示す分解斜視図である。図４は、一実施形態に係る固定構造を示す断面図である。一実施形態に係る固定構造２は、主に位置決め部材２０と連結部材２６を含んでおり、フレキシブル素材４を硬質素材３０に固定し結合させるためのものである。図３に示すように、位置決め部材２０は、中空筒体２０４と、中空筒体２０４と連接するストッパー２０２とを有している。中空筒体２０４の外周面には、外側ねじ山部２０４２が設けられており、その内周面には、内側ねじ溝部２０４４が設けられている。また、連結部材２６は、中空スリーブ２６４と、中空スリーブ２６４と接続する操作部２６２とを有している。中空スリーブ２６４の内周面には、位置決め部材２０の中空筒体２０４における外側ねじ山部２０４２に螺着するためのねじ溝部２６４２が設けられている。
【００１３】
図３及び図４に示すように、一実施形態に係る固定構造２を用いてフレキシブル素材４を硬質素材３０に結合固定する場合、使用者は、位置決め部材２０の中空筒体２０４を、硬質素材３０に形成された第一スルーホール３０２に貫設させるように、硬質素材３０の中に貫通させる。この段階で、位置決め部材２０のストッパー２０２により、中空筒体２０４が硬質素材３０の第一スルーホール３０２の内部に突出すると共に、ストッパー２０２が硬質素材３０の第一スルーホール３０２の外部に位置する。硬質素材３０の第一スルーホール３０２の内径は、中空筒体２０４の外径より大きく、また、ストッパー２０２の外形寸法より小さければ、その寸法は特に制限されない。
【００１４】
次に、使用者は、連結部材２６の中空スリーブ２６４を、フレキシブル素材４の第三スルーホール４０、硬質素材３０の第一スルーホール３０２に貫通させ、さらに、ねじ溝部２６４２を位置決め部材２０の外側ねじ山部２０４２に螺着させる。これにより、フレキシブル素材４を硬質素材３０に結合固定することができる。フレキシブル素材４の第三スルーホール４０の内径は、中空スリーブ２６４の外径より大きく、また、操作部２６２の外形寸法より小さければ、その寸法は特に制限されない。
【００１５】
中空スリーブ２６４のねじ溝部２６４２を位置決め部材２０の外側ねじ山部２０４２に螺着する場合、使用者は、一般的な螺着用ツールを用いて連結部材２６の操作部２６２を回転させることにより、その螺着を行うことができる。操作部２６２の形状は、特に制限されず、例えば、六角形のナットが一例として挙げられる。また、中空スリーブ２６４のねじ溝部２６４２の長さは、位置決め部材２０の外側ねじ山部２０４２の長さと同じかそれより短ければよく、特に制限されない。このように、ねじ溝部２６４２を外側ねじ山部２０４２に螺着することにより、フレキシブル素材４を硬質素材３０に結合固定することができる。一実施形態に係る固定構造２では、連結固定手段として、フレキシブル素材４を硬質素材３０に螺着する方法を使用することによって、操作部２６２のねじ込み量を調整することにより、厚さの異なる様々のフレキシブル素材４を固定することが可能になる。
【００１６】
一実施形態に係る固定構造２は、各種の用途や目的の異なる様々の装置に応用することができ、例えば、フレキシブル素材４と硬質素材３０との固定結合が必要となる物品に適用することができる。このような物品としては、例えば、椅子、机、テーブル又はベッドなどのような物品が例として挙げられる。硬質素材３０の一例としては、例えば、椅子、机、テーブル又はベッドなどの家具における支持フレームがあげられるが、これらの例により制限されるものではない。また、フレキシブル素材の一例としては、例えば、メッシュ織物、布素材又は皮革素材等々が挙げられるが、これらの例により制限されるものではない。
【００１７】
また、図３及び図４に示すように、一実施形態に係る固定構造２は、さらに別構成部品３２を硬質素材３０に固定するための結合部材２８を含むことができる。結合部材２８としては、例えば、ねじ山部２８０とねじ山部２８０と結合された操作ヘッド部２８２を有するねじが挙げられる。別構成部品３２を硬質素材３０に固定する場合、使用者は、先ず、結合部材２８のねじ山部２８０を、別構成部品３２の第二スルーホール３２０に挿入してから、さらに連結部材２６の中空スリーブ２６４に挿入し、位置決め部材２０の内側溝部２０４４と螺着させることにより、別構成部品３２を硬質素材３０に固定することができる。別構成部品３２としては、例えば、鉄板、回転盤、脚支持部材、又は肘当てが挙げられるが、これらの例により制限されるものではない。
【００１８】
以下に、本考案の一実施形態に係る椅子について、図５を参照して詳細に説明する。図５は一実施形態の固定構造を備える椅子を示す概略図である。図５から分かるように、椅子３において、メッシュ織物、布素材又は皮革素材からなるフレキシブル素材４は、固定構造２により硬質素材３０の座り部フレームに固定されており、固定構造２の連結部材２６により、フレキシブル素材４を硬質素材３０に固定することができる上、結合部材２８を挿入する箇所を提供することができる。また、結合部材２８を、別構成部品３２の第二スルーホール３２０、連結部材２６の順に挿入して、位置決め部材２０と対応的に螺着することにより、別構成部品３２を硬質素材３０に固定することができる。
【産業上の利用可能性】
【００１９】
このように、椅子３においては、固定構造２を使用することにより、フレキシブル素材４をしっかりと硬質素材３０に固定することができると共に、連結箇所として使用することが可能な連結部材２６を提供することができる。それにより、椅子３を組立てる際に、使用者は容易に連結箇所を見付けることが可能になり、また、脚支持座部材や肘当て部材などのような別構成部品３２を硬質素材３０に固定することも、連結部材２６により簡単になるので、椅子装置３の組み立てを容易に速やかに完成することができる。また、本考案の一実施形態に係る固定構造２によれば、フレキシブル素材４の厚みに応じて、連結部材２６が位置決め部材２０に螺着する深度を調整することができると共に、フレキシブル部材４をしっかりと固定することが可能になる。
【００２０】
上記を総合すると、本考案による固定構造を使用することにより、組立てに際して、ねじ孔を見つけるのが困難なため、フレキシブル素材を座り部支持フレームに順調に、且つ、容易に固定することが困難であるという従来の問題点を解消することができる。さらに、本考案によれば、従来の固定構造では厚さの異なるフレキシブル素材を硬質素材に固定するのが困難であるという従来技術上の欠点を解消することができる。
【００２１】
上記に述べた内容は、本考案の好適な一実施形態について説明したが、その実施形態で例示した構成と図面は、単に本考案を説明するための例示に過ぎず、本考案の権利保護の範囲がそれらの構成のみに狭義的に制限されるものではない。
【符号の説明】
【００２２】
１  椅子
１０  座り部支持フレーム
１０２  ねじ孔
１１  フレキシブル素材
１２２  ホール
１４  脚支持座部
１４２  スルーホール
１６  ねじ部材
２  固定構造
２０  位置決め部材
２０２  ストッパー
２０４  中空筒体
２０４２  外側ねじ山部
２０４４  内側ねじ溝部
２６  連結部材
２６２  操作部
２６４  中空スリーブ
２６４２  ねじ溝部
２８  結合部材
２８０  ねじ山部
２８２  操作ヘッド
３  椅子
３０  硬質素材
３０２  第一スルーホール
３２  別構成部品
３２０  第二スルーホール
４  フレキシブル素材
４０  第三スルーホール
【図２】
0003195629.tif 000003
【図３】
0003195629.tif 000004
【図４】
0003195629.tif 000005
【図５】
0003195629.tif 000006
【図１】
0003195629.tif 000007